(57)【要約】      （修正有）【課題】  床面を磨きながら床面を除菌するようにした電気掃除機を提供する。【解決手段】床用吸込具１を備えた電気掃除機において、床用吸込具１の吸込口３に臨ませて回転ブラシ７を内蔵し、塵埃を付着させる清掃用シート１５を回転ブラシ７に巻きつけ可能に回転ブラシを構成し、この清掃用シート１５には除菌剤を付着させる。この清掃用シート１５を不織布で形成し、除菌剤を多孔質構造微粒子に含浸させた状態で清掃用シート１５に付着させることが好ましい。【選択図】        図４
2005040420.tif 000002
【特許請求の範囲】
【請求項１】
床用吸込具を備えた電気掃除機であって、床用吸込具は下面に吸込口を備えるとともに、吸込口に臨ませて回転ブラシを内蔵し、回転ブラシは塵埃を付着させる清掃用シートを巻きつけ可能に構成され、清掃用シートは除菌剤が付着されてなることを特徴とする電気掃除機。
【請求項２】
前記除菌剤がアルコールであることを特徴とする請求項１記載の電気掃除機。
【請求項３】
前記清掃用シートは、紙又は布であって、この清掃用シートに除菌剤としてアルコールが含浸されていることを特徴とする請求項１記載の電気掃除機。
【請求項４】
前記清掃用シートは、不織布で形成され、前記除菌剤は多孔質構造微粒子に含浸された状態で清掃用シートに付着されてなることを特徴とする請求項１記載の電気掃除機。
【請求項５】
前記清掃用シートは、ウエットシートで形成され、このウエットシートの水性液保持層に除菌剤が含有されてなることを特徴とする請求項１記載の電気掃除機。
【請求項６】
前記除菌剤は、天然素材の除菌剤であることを特徴とする請求項１、４又は５記載の電気掃除機。
【請求項７】
前記除菌剤は、柿の木の果実より得られた柿抽出液にグリセリン、有機酸を配合し、これに界面活性剤と柑橘類種子由来の抗菌剤を添加した水溶液からなることを特徴とする請求項６記載の電気掃除機
【発明の詳細な説明】
【技術分野】
【０００１】
本発明は、電気掃除機に関し、特に、掃除した床面に存在する菌の除去を行うようにした電気掃除機に関する。
【背景技術】
【０００２】
従来の回転ブラシを有する掃除機では、回転ブラシに塵埃付着シートを巻きつけて回転ブラシを回転させることで床面を磨く効果を向上させていた。しかし、顧客は、磨き以外に清潔さを求める志向にある。このような市場のニーズに対し、床面を磨きながら除菌することのできる電気掃除機に付いては未だ満足すべきものが開発されていなかった。
【特許文献１】実開平３−２３１０１６号公報
【特許文献２】特開平２００２−４５３２１号公報  段落番号０００３〜００６６、図１及び図２
【発明の開示】
【発明が解決しようとする課題】
【０００３】
本発明は、床面を磨きながら床面を除菌するようにした電気掃除機を提供することにある。
【課題を解決するための手段】
【０００４】
本発明に係る電気掃除機は、このような課題を達成するためになされたものであって、床用吸込具を備えた電気掃除機であって、床用吸込具は下面に吸込口を備えるとともに、吸込口に臨ませて回転ブラシを内蔵し、回転ブラシは塵埃を付着させる清掃用シートを巻きつけ可能に構成され、清掃用シートは除菌剤が付着されてなることを特徴とする。
【０００５】
また、上記発明において、前記除菌剤をアルコールとしてもよい。また、清掃用シートを紙又は布とし、この清掃用シートに除菌剤としてアルコールを含浸するようにしてもよい。
【０００６】
また、上記発明において、清掃用シートを不織布で形成し、除菌剤を多孔質構造微粒子に含浸させた状態で清掃用シートに付着させるようにしてもよい。
【０００７】
また、上記発明において、清掃用シートをウエットシートで形成し、ウエットシートの水性液保持層に除菌剤を含有させるようにしてもよい。
【０００８】
また、上記発明において、除菌剤を天然素材の除菌剤にしてもよい。また、天然素材の除菌剤としては、柿の木の果実より得られた柿抽出液にグリセリン、有機酸を配合し、これに界面活性剤と柑橘類種子由来の抗菌剤を添加した水溶液からなるものとしてもよい。
【発明の効果】
【０００９】
本発明によれば、除菌剤が清掃用シートに付着されているので、清掃用シートを回転ブラシに巻き付けた状態で使用すると、清掃用シートにより床磨きをしながら、清掃用シートに付着されている除菌剤により床面を除菌することができる。
【００１０】
また、本発明において、除菌剤をアルコールとしてもよい。除菌剤を容易に入手することができる。また、単に含浸するだけであれば誰にでも簡単に清掃用シートに除菌剤を含浸させることができる。
【００１１】
また、本発明において、清掃用シートを不織布で形成し、除菌剤を多孔質構造微粒子に含浸させた状態で清掃用シートに付着させるようにすると、清掃用シートで床面を磨いているときに、微粒子が回転する回転ブラシの遠心力により不織布から離れ飛散する。そして、一部は床面に叩きつけられて付着し、徐々に微粒子から除菌剤が放出されて、床面を除菌することができる。また、吸込口付近にも除菌剤が飛散するため床用吸込具の吸込口周りも除菌される。また、清掃用シートから飛散した微粒子は、空気と共に吸い込まれ掃除機本体の集塵袋内に流れて留まる。そして、集塵室内において微粒子から除菌剤が徐々に放出され、集塵室内にいる雑菌を除菌する。また、一部の微粒子は掃除機本体の排出口から空気と共に排出され、空気中を浮遊する雑菌に当たって徐々に空気中の雑菌を除菌するとともに、床面に幅広く飛散し、これにより床面を幅広く除菌することができる。
【００１２】
また、本発明において、清掃用シートをウエットシートで形成し、ウエットシートの水性液保持層に除菌剤を含有させるようにすると、徐放性を考慮した構成とすることができ、回転ブラシと床面との間に挟まれる圧力により、適量の除菌剤を放出することが可能となる。また、このように構成すると、ウエットシートの徐放性により長期間に亘って床面を磨きながら除菌することができる。
【００１３】
また、除菌剤を天然素材の除菌剤にすると、人体に無害であり、床材を変色又は変質させる危険も少なくなる。また、このような天然素材の除菌剤として柿の木の果実より得られた柿抽出液にグリセリン、有機酸を配合し、これに界面活性剤と柑橘類種子由来の抗菌剤を添加した水溶液からなるものを用いると、優れた除菌効果が得られると共に臭いも少ないというメリットがある。
【発明を実施するための最良の形態】
【００１４】
以下本発明の実施例につき説明する。
【実施例１】
【００１５】
先ず、実施例１について図１に基づき説明する。図１は本発明の実施例１に係る電気掃除機の床用吸込具の外観図である。図２は同電気掃除機用の清掃用シートの平面図である。図３は同床用吸込具の平面図であって、清掃用シート巻き付け途中の状態図を示す。図４は同床用吸込具側断面図であって、清掃用シート巻き付け途中の状態図を示す。図５は同床用吸込具側断面図であって、清掃用シートを巻き付けた後の状態図を示す。図６は清掃用シートの部分断面図である。
【００１６】
実施例１に係る電気掃除機は、図示ない掃除機本体に吸引ホース及び延長管などの接続管が接続され、この接続管の先端に床用吸込具１が接続されている。床用吸込具１は、図１に示すように、床用吸込具１の外壁を構成するケース２の前面側（図１における左側）底部に吸込口３が形成され、ケース２の後側（図１における右側）に、接続管の接続口４を形成するベンド５が設けられている。また、ケース２内には、吸込口３と接続口４とを連通する通風路６が形成されている。また、通風路６内には吸込口３に臨むように回転ブラシ７が設けられている。
【００１７】
吸込口３は、前後方向の寸法が回転ブラシ７の直径よりやや大きく形成されており、吸込口３の前縁が回転ブラシ７の前面部と略一致するように形成されている。また、吸込口３の左右幅は回転ブラシ７の左右幅と略同寸とされている。
【００１８】
ベンド５は、ロータリーパイプ８を介してケース２に接続されている。ロータリーパイプ８は、ケース２の前後方向の水平軸周りに回転自在に取り付けられている。また、ベンド５は、ロータリーパイプ８に対し上下方向に回転自在に接続されている。この構成により、接続管に対し、床用吸込具１はあらゆる方向に対応可能に構成されている。
【００１９】
回転ブラシ７は、断面が略６角形の棒状芯体７ａを有し、この棒状芯体７ａの長手方向が左右方向（図１における紙面と直角の方向）となるように配置されている。そして、棒状芯体７ａの外周面には、幅の広いブラシ部７ｂや幅の狭いブラシ部７ｃ、７ｄが所定の間隔で左右方向に装着されている。また、回転ブラシ７は、モータ駆動とされている。このモータはケース２内に内蔵されている（図示せず）。回転ブラシ７をモータ駆動することで、床面の塵埃が掻き集められ、塵埃が吸込口３から空気と共に吸い込まれる。
【００２０】
ケース２における回転ブラシ７近傍の前方部、すなわち、ケース２の前方部には略半円の円弧状のシャッター１１が設けられている。このシャッター１１は、後方に回転されることにより、通風路６を形成する上面壁部９上の空間にスライド式に収納されるように構成されている。また、このシャッター１１を開放することで、回転ブラシ７の前面部が開放され、回転ブラシ７の点検、取り外し、取付を容易にすることができる
シャッター１１の前部（図１における左側）には、当たり棒１２が取り付けられている。当たり棒１２は、床用吸込具１の前面部が障害物に当たった場合のショックアブソーバの機能をなすものである。
【００２１】
また、回転ブラシ７の外周には、図２に示すような長方形の不織布製の清掃用シート１５が巻き付け可能とされている。清掃用シート１５は、一端部１６がＶ字状に裁断されている。
【００２２】
ここで、清掃用シート１５を回転ブラシ７に装着する方法を説明する。図３に示すように、Ｖ字状に裁断された一端部１６の反対側の端部が回転ブラシ７の下になるように床用吸込具１を清掃用シート１５の上に置く。そして、清掃用シート１５を巻き取るためのスイッチ（図示せず）を投入して回転ブラシ７を清掃用シート１５巻き取りようの低速で回転させる。これにより清掃用シート１５が回転ブラシ７に自動的に絡みつき自動的に回転ブラシ７の外周に巻きつけられる。なお、清掃用シート１５の一端部１６をＶ字状に裁断しているので、清掃用シート１５の巻き付け終端部、すなわち前述の一端部１６が剥がれた場合、床用吸込具１に当たる面積が小さくなる。このため、掃除運転中、剥がれた清掃用シート１５の巻き取り終端部がばたばたしたり、床用吸込具１に吸い込まれたりすることがなく、異音が発生しにくくなっている。
【００２３】
また、清掃用シート１５には、図６の清掃用シート部分拡大図に図示されているように、清掃用シート１５を構成する不織布の繊維１７に除菌剤を含浸させた多孔質構造微粒子１８が付着されている。除菌剤には天然素材のものが用いられている。天然素材の除菌剤の例として、リリース株式会社製のパンシルＦＧ−８８（商品名）を挙げることができる。パンシルＦＧ−８８は、カキノキDiospryos kaki Thunberg(Ebenaceae)の果実より得られた柿抽出液にグリセリン、有機酸等を配合し、これに界面活性剤と柑橘類種子由来の抗菌剤を添加した水溶液である。また、このパンシルＦＧ−８８は、天然素材であるので人体には無害であり、床材を変色させたり変質させたりすることがない。また、パンシルＦＧ−８８は、無色ないしやや白獨した液体で、臭いがわずかであり、有機溶剤には不溶であるという特性を備えている。
【００２４】
また、上記のような天然素材の除菌材を含浸させる多孔質構造微粒子１８としては、スズキ油脂株式会社製のゴッドボ−ル（商品名）を挙げることができる。このゴッドボールは、一次粒子の集まりで形成された、内部に多くの空隙を持つ真球状の機能性無機質微粒子であって、粒子径は、０．５〜１５０μｍの範囲に調整される。また、ゴッドボ−ルは、良好な吸水性、吸油性を有し内部に薬剤を含有させることで徐放効果を示す。
【００２５】
なお、このような天然素材の除菌材を含浸させた多孔質構造微粒子１８は、清掃用シート１５に対し次のようにして取り付けられる。先ず、除菌材を含浸させた多孔質構造微粒子１８を製作する。次いで、接着性のある溶液に除菌材を含浸させた多孔質構造微粒子１８を混ぜる。これをスプレーガンに入れ、平らに広げられた清掃用シート１５にスプレーガンで吹き付ける。このようにして清掃用シート１５に付着された状態を示したのが図６である。
【００２６】
清掃用シート１５に付着された多孔質構造微粒子１８は、掃除運転により回転ブラシを７を回転させると、回転ブラシ７の遠心力により不織布の繊維１７から跳ね飛ばされ飛散する。跳ね飛ばされ飛散した多孔質構造微粒子１８の一部は床面に叩きつけられて床面に付着する。そして、床面に付着した多孔質構造微粒子１８からは徐々に除菌剤が放出されて、床面が除菌される。また、回転ブラシ７から跳ね飛ばされ飛散した他一部の多孔質構造微粒子１８は、床用吸込具１の吸込口３周りに付着し、吸込口３周りを除菌する。また、回転ブラシ７から跳ね飛ばされ飛散した他の多孔質構造微粒子１８は、床用吸込具１から吸い込まれる空気とともに掃除機本体の集塵袋内に流れて留まる。そして、集塵室内において微粒子から除菌剤が徐々に放出され、集塵室内にいる雑菌を除菌する。なお、集塵袋内に流れた多孔質構造微粒子１８の少量の一部は掃除機本体からの排気とともに再度室内に吐き出される。これにより、空気中を浮遊する雑菌に当たって徐々に空気中の雑菌を除菌するとともに、床面に幅広く飛散し、床面を幅広く除菌する。
【００２７】
実施例１は、以上のように構成されているので、次のような作用効果を奏することができる。
【００２８】
除菌剤が清掃用シート１５に付着されているので、清掃用シート１５を回転ブラシ７に巻き付けた状態で使用すると、清掃用シート１５により床磨きをしながら床面を除菌することができる。
【００２９】
また、除菌材は多孔質構造微粒子１８に含浸された状態で清掃用シート１５に付着されているので、広範囲の床面、吸込口周り、空気中、掃除機本体の集塵袋などにばら撒かれこれらを除菌することができる。
【００３０】
また、除菌材に天然素材を用いているので、人体に無害であり、床材を変色又は変質させる危険が少ない。また、この天然素材として柿の木の果実より得られた柿抽出液にグリセリン、有機酸を配合し、これに界面活性剤と柑橘類種子由来の抗菌剤を添加した水溶液からなるものを用いているので、優れた除菌効果が得られると共に強い刺激臭もない。
【実施例２】
【００３１】
実施例２は、実施例１の清掃用シート及び除菌材付着の方法を次のように変更したものである。
【００３２】
この実施例２では、清掃用シートとして、ウエットシート（清掃用ウエットシート）を用いる。ウエットシートは特許文献２になどにより良く知られているが、以下のその内容を簡単に説明する。
【００３３】
ウエットシート２０は、図７に示すように、清掃面となる外層２１と、反対側の外層２２と、水性液保持層２３と、隔離層２４とからなる。
【００３４】
外層２１は、所定の薬剤を有する薬剤含有層となっている。この層は薬剤が坦持シートに保持されて構成されている。坦持シートはウエットシート２０の内部に保持されている水性液（この場合除菌剤）を徐々に放出し得る材料（徐放性材料）から形成されていることが好ましい。坦持シートしては、紙、及び乾式不織布、織布及び織布などの繊維集合体、並びに多数の開孔部を有するフィルム等を用いることができる。坦持シートに含まれる薬剤としては、水性液保持層２３に含まれている高分子物質から水性液（除菌剤）を放出させる作用機構に応じて適切なものが選択される。例えば、前記薬剤として電解質又は酸性物質若しくは塩基性物質が用いられる。
【００３５】
外層２２は、清掃面と反対側になる面であり、シート材、すなわち裏面シートによって構成されている。裏面シートは、ウエットシート２０の使用時に、使用者の手や清掃具と接触する部材であり、液不透過性である。この裏面シートを構成する材料としては、ポリエチレンやポリプロピレンなどのポリオレフィンのような熱可塑性樹脂のフィルムが好適である。
【００３６】
水性液保持層２３は、水性液（除菌剤）を含有する高分子物質を有する層である。水性液保持層２３は、水生液含有高分子そのものから構成されていてもよく、或いは水性含有高分子が所定の担体に保持されて構成されていてもよい。水生液含有高分子が所定の担体に保持されて水性液保持層２３が構成されている場合、この担体としては不織布、織布、編物等の繊維集合体、スポンジ等の多孔物質体などを用いることができる。
【００３７】
隔離層２４は、水性液含有高分子に含有される水性液（除菌剤）を清掃面に徐々に放出させるために、水性液保持層２３と清掃面をなす外層２１との間に配設されている。隔離層２４は、通液性を有するシート材（以下隔離シートという）から構成されている。隔離シートはウエットシート２０使用前の無加重下では薬剤含有層である清掃面をなす外層２１と水性液保持層２３とを隔離し、ウエットシート２０使用時の所定加重下では薬剤含有量である清掃面をなす外層２１に含まれている薬剤と水性液保持層２３に含まれる水性液含有高分子とを徐々に接触させて、この水性液含有孔分子から水性液（除菌剤）を放出させるために用いられる。
【００３８】
なお、除菌剤には実施例１と同様のものを用いる。
【００３９】
以上のように構成された実施例２によれば、清掃用シート１５をウエットシート２０で形成し、ウエットシート２０の水性液保持層２３に除菌剤を含有させるようにすると、徐放性を考慮した構成とすることができ、回転ブラシ７と床面との間に挟まれる圧力により、適量の除菌剤を放出することが可能となる。また、このように構成すると、ウエットシート２０の徐放性により長期間に亘って床面を磨きながら除菌することができる。
【実施例３】
【００４０】
この実施例３は、実施例１或いは実施例２に記載のような特別な部材を用いない方法に関するものである。
【００４１】
すなわち、この実施例３では、清掃用シート１５として、水性液を含浸させることが可能な適宜の紙又は布を用いる。そして、除菌剤としてアルコールを用いるものである。
【００４２】
このように構成しても、徐放性の点では実施例１及び２に劣るが、清掃用シート１５により床磨きをしながら、清掃用シート１５に付着されている除菌剤により床面を除菌することができる。また、除菌剤を容易に入手することができる。また、単に含浸するだけであれば誰にでも簡単に清掃用シート１５に除菌剤を含浸させることができる。
【図面の簡単な説明】
【００４３】
【図１】本発明の実施例１に係る電気掃除機の床用吸込具の外観図である。
【図２】同電気掃除機用の清掃用シートの平面図である。
【図３】同床用吸込具の平面図であって、清掃用シート巻き付け途中の状態図を示す。
【図４】同床用吸込具側断面図であって、清掃用シート巻き付け途中の状態図を示す。
【図５】同床用吸込具側断面図であって、清掃用シートを巻き付けた後の状態図を示す。
【図６】清掃用シートの部分断面図である。
【図７】図７は実施例２に係る清掃用シートの模式断面図である。
【符号の説明】
【００４４】
１  床用吸込具
２  ケース
３  吸込口
７  回転ブラシ
１５  清掃用シート
１６  一端部
１７  不織布の繊維
１８  多孔質構造微粒子
２０  ウエットシート
【図１】
2005040420.tif 000003
【図２】
2005040420.tif 000004
【図３】
2005040420.tif 000005
【図４】
2005040420.tif 000006
【図５】
2005040420.tif 000007
【図６】
2005040420.tif 000008
【図７】
2005040420.tif 000009